(57)【特許請求の範囲】
【請求項１】
複数のファイル紋様データが格納される格納部を有する照合処理部と、前記照合処理部で照合した照合結果を格納する照合結果格納領域とを具備し、
前記ファイル紋様データには、それぞれ照合結果を格納すべき照合結果格納領域を示す照合結果格納領域指定インデックスが設けられており、
前記照合処理部は、前記ファイル紋様データと外部から転送される探索紋様データとの一致性を照合し、この照合結果を、前記照合結果格納領域指定インデックスが示す照合結果格納領域に一致性の高い順にそれぞれ格納することを特徴とする紋様データ照合装置。
【請求項２】
前記探索紋様データは、いずれのファイル紋様データとの照合を行うかを指定する照合指定情報が含まれており、前記照合処理部は、前記照合指定情報の指定に従って探索紋様データとファイル紋様データとの照合を行うことを特徴とする請求項１記載の紋様データ照合装置。
【発明の詳細な説明】
【０００１】
【発明の属する技術分野】
本発明は紋様データ照合装置に関する。
【０００２】
【従来の技術】
指紋または掌紋等の紋様データ照合システムにおける紋様データ照合処理装置は、探索紋様データに合致または類似するデータを大量のファイル紋様データから抽出するために、探索紋様データとファイル紋様データの突き合わせ照合を行うものである。例えば、指紋照合装置の場合であれば、事件現場等において採取してきた探索紋様（指紋）データと、予めデータベースに登録されている大量のファイル紋様（指紋）データベースを照合する装置の構成が、例えば特開昭５９−２１８３号公報や特開昭５９−７７９号公報（特公昭６３−５３５８８号公報）等をはじめとして数多く提案がなされている。
【０００３】
また、特開平１１−３１２２３号公報では複数の探索紋様データを高速に照合する提案がなされている。しかし、従来の紋様データ照合システムは、探索紋様データと大量のファイル紋様データを照合し、探索紋様データ毎に同一の可能性のあるファイル紋様データ候補リストを同一条件で作成し、最終的な候補リストのみ、上位装置において人が目視により探索紋様データとファイル紋様データとの一致性を確認していた。そのため犯罪現場等のように、一部分しか採集されない指紋などのような条件の悪い紋様データについては候補リストに登録されず、目視による一致確認の対象とならない場合があった。また、この問題を回避するためにファイル紋様データの条件に従ってデータベースを分離し、探索紋様データとの照合を複数回実施するという方法もとられていた。しかし、この方法では複数に分割することによる性能低下、運用性の低下があり、問題となっていた。
【０００４】
以下、本発明の特徴をより明瞭にするためにその前提となる従来技術の構成ならびに作用について、図９ないし１２を参照しつつ開示する。図９は、従来技術にかかる紋様データ照合処理システムの構成を表わすブロック図である。この紋様データ照合処理システムは、上位装置９２０と、紋様データ照合処理装置９００とから構成される。紋様データ照合装置９００を制御する照合制御部９０５と、紋様データ照合処理を行う照合処理部９１０と、上位装置９２０から転送された照合プログラムを格納する照合プログラム格納部９０１と、上位装置９２０から転送された照合パラメータを格納する照合パラメータ格納部９０２と、上位装置９２０から転送された一つ以上の探索紋様データを格納する探索紋様データを格納する探索紋様データ格納部９０３ａ〜９０３ｎと、上位装置９２０から転送されたファイル紋様データを格納するファイル紋様データ格納部９０４と、照合処理部９１０で照合した照合結果を格納する１つ以上の照合結果格納領域９０７と、を有する。図１０はこのシステムにおけるファイル紋様データ形式を示すものである。
【０００５】
紋様データ照合装置９００は、図１１のフローチャートに示すように、上位装置９２０から転送された照合プログラムを照合プログラム格納部９０１へ格納し（制御ステップＳ３１）、照合パラメータを照合パラメータ格納部９０２へ格納し（制御ステップＳ３２）、探索紋様データを探索紋様データ格納部９０３ａ〜９０３ｎへ格納し（制御ステップＳ３３、制御ステップＳ３４）、そして図１０に示した形式のファイル紋様データをファイル紋様データ格納部９０４へ順次格納する（制御ステップＳ３５）。
【０００６】
次いで、上位装置９２０から転送された照合パラメータを使用して照合プログラムを実行することにより、制御ステップＳ３６でファイル紋様データとファイル紋様データ中の照合探索紋様データ指定部の指定する探索紋様データ＃Ｉとの照合の必要があるか否かを判断し、必要がある場合は制御ステップＳ３７のように照合を行い、各々の一致性を示す類似度を求める。
【０００７】
その後、探索紋様データ＃Ｉに対応する照合結果格納領域に照合結果を登録する（制御ステップＳ３８）。さらに、制御ステップＳ３６以降を探索紋様データ指定部ＥＮＤまで実行し（制御ステップＳ３９）、さらに制御ステップＳ３５以降をファイル紋様データＥＮＤまで繰り返し（制御ステップＳ４０）、このようにして得られる探索紋様データ毎の複数の照合結果を上位装置９２０に送る（制御ステップＳ４１）。
【０００８】
上位装置９２０では図１２に示すように、探索紋様データ後との候補リストの中でスコアがある閾値以上のものについて探索紋様データとファイル紋様データとをイメージデータとして表示し、人が目視確認する（制御ステップＳ４２）。このような従来技術にかかる方式では、探索紋様データとの一致性が低いと判断された場合、すなわちスコアが低い場合には候補リストに残されないため、実際に必要な紋様データを確認できない事態が生じていた。
【０００９】
【発明が解決しようとする課題】
本発明は、上述のような従来技術の欠点を解消して、多数のファイル紋様データを対象とする場合にも照合性能を低下せしめることなしに一致性の可能性が低いデータをも漏れなく一致性のチェックを行うことができる紋様データ照合装置を提供することを課題とする。
【００１０】
【課題を解決する為の手段】
本発明の課題は、複数のファイル紋様データが格納される格納部を有する照合処理部と、前記照合処理部で照合した照合結果を格納する照合結果格納領域とを具備し、
前記ファイル紋様データには、それぞれ照合結果を格納すべき照合結果格納領域を示す照合結果格納領域指定インデックスが設けられており、
前記照合処理部は、前記ファイル紋様データと外部から転送される探索紋様データとの一致性を照合し、この照合結果を、前記照合結果格納領域指定インデックスが示す照合結果格納領域に一致性の高い順にそれぞれ格納することを特徴とする紋様データ照合装置によって解決される。
特に、探索紋様データは、いずれのファイル紋様データとの照合を行うかを指定する照合指定情報が含まれており、前記照合処理部は、前記照合指定情報の指定に従って探索紋様データとファイル紋様データとの照合を行う上記の紋様データ照合装置によって解決される。
【００１１】
このような構成を採用した結果、ファイル紋様データ毎に条件を変更して候補リストに登録することができるようになる。
【００１２】
以下、添付図を参照しつつ本発明の内容を開示する。
図１に示す紋様データ照合処理システムは、紋様データ照合装置１００と上位装置１２０とから構成される。
紋様データ照合装置１００は、全体を制御する照合制御部１０５と紋様データ照合処理を行う照合処理部１１０とを有する。
照合処理部１１０は、上位装置１２０から転送された照合プログラムを格納する照合プログラム格納部１０１と、上位装置１２０から転送された照合パラメータを格納する照合パラメータ格納部１０２と、上位装置１２０から転送された一つ以上の探索紋様データを格納する探索紋様データ格納部１０３ａ〜１０３ｎと、上位装置１２０から転送されたファイル紋様データを格納するファイル紋様データ格納部１０４とを有する。また、照合処理部１１０で照合した照合結果を格納する一つ以上の照合結果格納領域、即ち、ファイル紋様データの照合結果格納領域指定インデックスに対応して照合結果格納領域１０７ａ〜１０７ｎを有する。
【００１３】
紋様データ照合装置１００は、図７のフローチャートに示すように、上位装置１２０から転送された照合プログラムを照合プログラム格納部１０１へ格納し（制御ステップＳ１）、照合パラメータを照合パラメータ格納部１０２へ格納し（制御ステップＳ２）、図２に示す形式の探索紋様データを探索紋様データ格納部１０３ａ〜１０３ｎへ格納し（制御ステップＳ３、制御ステップＳ４）、そして図３に示す形式のファイル紋様データをファイル紋様データ格納部１０４へ順次格納する（制御ステップＳ５）。
【００１４】
次いで、上位装置１２０から転送された照合パラメータを使用して照合プログラムを実行することにより、制御ステップＳ６で図４に示すファイル紋様データとファイル紋様データ中の照合探索紋様データ指定部（インデックス）＃０の指定する探索紋様データとの照合の必要があるか否かを判断し、必要がある場合は制御ステップＳ７のように照合を行い、各々の一致性を示す類似度を求める。その後、探索紋様データに対し、ファイル紋様データの照合結果格納領域指定インデックス＃０に対応する照合結果格納領域１０７ａに照合結果を登録する（制御ステップＳ８）。
【００１５】
さらに、図５に示すファイル紋様データ中の照合結果格納領域指定インデックス＃０に対応する照合結果格納領域１０７ａに図６に示すような形式で類似度の大きい順にソートして候補リストを格納する。
そして、制御ステップＳ６以降を、ファイル紋様データの照合結果格納領域指定インデックス＃１〜＃ｎについても、即ち、探索紋様データ指定部ＥＮＤまで同様に実行し（制御ステップＳ９）、更にファイル紋様データＥＮＤまで実行する（制御ステップＳ１０）。そして、このようにして得られる探索紋様データ毎の複数の照合結果を上位装置１２０に報告する（制御ステップＳ１１）。
【００１６】
上位装置１２０では、図８に示すように、候補リストと格納領域の全候補リスト（照合結果格納領域指定インデックス）＃０，＃１，＃２，…，＃ｎについて、探索紋様データとファイル紋様データとを目視チェックできるようにイメージデータを表示する（制御ステップＳ２１〜Ｓ２３）。
【００１７】
このようにファイル紋様データ毎に候補リストを格納する照合結果格納領域を選択可能にすることにより、従来技術にかかる図９〜図１１のような方式では、スコアが低く候補リストに残らなかった探索紋様データとファイル紋様データの中で、探索紋様データとの一致性が低くても確実にチェックしたいファイル紋様データについて、ファイル紋様データ照合結果格納指定インデックスを指定することで確実にチェックすることが可能になる。
【００１８】
【効果】
本発明にかかる紋様データ照合処理システムによれば、システムとしての照合性能をダウンすることなく、ファイル紋様データ側で一致性の可能性が低いものでも確実に一致性のチェックをするように指定することが可能となり、たとえ不完全な探索紋様データであっても漏れなく照合処理を行うことができるようになる。
【図面の簡単な説明】
【図１】本発明にかかる実施例のシステム構成を示すブロック図である。
【図２】本実施例の探索紋様データ形式の構成例である。
【図３】本発明にかかる実施例のファイル紋様データ形式の構成例である。
【図４】本発明にかかる実施例のファイル紋様データの照合探索紋様データ指定部の構成例である。
【図５】本発明にかかる実施例のファイル紋様データの照合結果格納領域指定インデックスの構成例である。
【図６】本発明にかかる実施例のファイル紋様データインデックス指定照合結果格納領域の照合結果登録形式例である。
【図７】本発明にかかる実施例の紋様データ照合装置のフローチャートである。
【図８】本発明にかかる実施例の上位装置における照合結果チェック方式のフローチャートである。
【図９】従来技術にかかる紋様データ照合処理方式のシステム構成例を示すブロック図である。
【図１０】従来技術にかかるファイル紋様データ形式例である。
【図１１】従来技術にかかる紋様データ照合装置の動作を表わすフローチャートである。
【図１２】従来にかかる上位装置でのフローチャート（照合結果チェック方式）である。
【符号の説明】
１００…紋様データ照合装置
１０１…照合プログラム格納部
１０２…照合パラメータ格納部
１０３ａ、１０３ｂ、……１０３ｎ
…探索紋様データ格納部（＃０、＃１、……＃ｎ）
１０４…ファイル紋様データ格納部
１０５…照合制御部
１０７ａ、１０７ｂ、……１０７ｎ
…ファイル紋様データインデックス指定照合結果格納領域
１１０…照合処理部
１２０…上位装置
９００…紋様データ照合装置（従来）
９０１…照合プログラム格納部
９０２…照合パラメータ格納部
９０３ａ、９０２ｂ、……９０３ｎ
…探索紋様データ格納部（＃０、＃１、……＃ｎ）
９０４…ファイル紋様データ格納部
９０５…照合制御部
９０７…照合結果格納領域
９２０…上位装置
【図１】
0003601594.tif 000002
【図２】
0003601594.tif 000003
【図３】
0003601594.tif 000004
【図４】
0003601594.tif 000005
【図５】
0003601594.tif 000006
【図６】
0003601594.tif 000007
【図７】
0003601594.tif 000008
【図８】
0003601594.tif 000009
【図９】
0003601594.tif 000010
【図１０】
0003601594.tif 000011
【図１１】
0003601594.tif 000012
【図１２】
0003601594.tif 000013